(57)【要約】【課題】ハウリングを防止した再放送システムを提供すること。【解決手段】実施形態によれば、放送電波を受信し電波不感地帯に送信する再放送システムは、スピーカと、マイクボックスと、主装置とを具備する。スピーカは、放送電波から再生した音声を拡声出力する。マイクボックスは、スピーカから出力された音声が届く位置に設置される。主装置は、スピーカおよびマイクボックスに接続される。マイクボックスは、主マイクロホンと、副マイクロホンとを備える。主装置は、除去部と、増幅部とを備える。除去部は、主マイクロホンで捕捉された可聴信号と副マイクロホンで捕捉された可聴信号とから同相成分を除去する。増幅部は、同相成分を除去された可聴信号をスピーカから拡声出力する。【選択図】  図３
2013168773.tif 000002
【特許請求の範囲】
【請求項１】
放送電波を受信し電波不感地帯に送信する再放送システムにおいて、
前記放送電波から再生した音声を拡声出力するスピーカと、
前記スピーカから出力された音声が届く位置に設置されるマイクボックスと、
前記スピーカおよび前記マイクボックスに接続される主装置とを具備し、
前記マイクボックスは、
主マイクロホンと、
副マイクロホンとを備え、
前記主装置は、
前記主マイクロホンで捕捉された可聴信号と前記副マイクロホンで捕捉された可聴信号とから同相成分を除去する除去部と、
前記同相成分を除去された可聴信号を前記スピーカから拡声出力する増幅部とを備える、再放送システム。
【請求項２】
放送電波から再生した音声を拡声出力するスピーカと、前記スピーカから出力された音声が届く位置に設置されるマイクボックスとを具備する再放送システムに用いられ、前記スピーカおよび前記マイクボックスに接続される主装置において、
前記マイクボックスに備えられる主マイクロホンで捕捉された可聴信号と、前記マイクボックスに備えられる副マイクロホンで捕捉された可聴信号とから同相成分を除去する除去部と、
前記同相成分を除去された可聴信号を前記スピーカから拡声出力する増幅部とを備える、主装置。
【請求項３】
放送電波を受信し電波不感地帯に送信する再放送システムに適用される拡声方法であって、
前記放送電波から再生した音声を拡声出力するスピーカから出力された音声が届く位置に設置されるマイクボックスに備えられる主マイクロホンで捕捉された可聴信号と、前記マイクボックスに備えられる副マイクロホンで捕捉された可聴信号とから同相成分を除去し、
前記同相成分を除去された可聴信号を前記スピーカから拡声出力する、拡声方法。
【発明の詳細な説明】
【技術分野】
【０００１】
本発明の実施形態は、放送波の不感地帯であるトンネル内などに設置される再放送システムとその主装置および拡声方法に関する。
【背景技術】
【０００２】
トンネル内などの閉空間には放送局からの電波が届きにくい。そのような環境においてもラジオ放送、テレビジョン放送あるいはデータ放送などを聴取できるようにするためにラジオ再放送システムが知られている。  
このシステムは電波の再放送にとどまらず、様々な用途への利用が期待されている。例えば事故や災害などの際に情報をアナウンスして、避難誘導に役立てるといった用途に用いられようとしている。放送波からデコードした音声を増幅し、トンネル内に取り付けられた大口径スピーカから拡声出力するといった形態である。また、マイクで拾った音声をスピーカから拡声出力するといった形態もある。これはラジオを聴取していないドライバーや搭乗者にとっては有効で、注意喚起の一助になる。
【先行技術文献】
【特許文献】
【０００３】
【特許文献１】特開平３−１１７１４８号公報
【発明の概要】
【発明が解決しようとする課題】
【０００４】
しかしながらトンネル内においてはスペース上の制約から、マイクとスピーカとが近い位置に設置されるケースが多い。つまりマイクは緊急避難帯にあるマイクボックスに、スピーカはその真上に取り付けられるケースが多い。このためハウリングがしばしば生じる。  
ハウリングが起こると音声を聞き取ることが困難になり、緊急情報を報知するという役目を果たさなくなる。折角の車内のラジオ音声もハウリングにマスクされてしまうおそれがある。そればかりかパニック時にパニックを煽ってしまう可能性もある。このように再放送システムにあってはハウリングの防止策が要望されているが、閉空間という特殊な環境であることはもとより、音声を増幅するアンプの出力が大きいこととも相俟って有効な対策は見い出せていない。  
目的は、ハウリングを防止した再放送システムとその主装置および拡声方法を提供することにある。
【課題を解決するための手段】
【０００５】
実施形態によれば、放送電波を受信し電波不感地帯に送信する再放送システムは、スピーカと、マイクボックスと、主装置とを具備する。スピーカは、放送電波から再生した音声を拡声出力する。マイクボックスは、スピーカから出力された音声が届く位置に設置される。主装置は、スピーカおよびマイクボックスに接続される。マイクボックスは、主マイクロホンと、副マイクロホンとを備える。主装置は、除去部と、増幅部とを備える。除去部は、主マイクロホンで捕捉された可聴信号と副マイクロホンで捕捉された可聴信号とから同相成分を除去する。増幅部は、同相成分を除去された可聴信号をスピーカから拡声出力する。
【図面の簡単な説明】
【０００６】
【図１】再放送システムの一つの実施形態を示すシステム図である。
【図２】図１に示されるヘッドエンド装置２０、スピーカ３０およびマイクボックス４０を模式的に示す図である。
【図３】図１に示されるヘッドエンド装置２０の一つの実施形態を示す機能ブロック図である。
【発明を実施するための形態】
【０００７】
図１は、再放送システムの一つの実施形態を示すシステム図である。この再放送システムは放送電波を受信し、トンネル内などの電波不感地帯に再放送する。図１において、放送局（図示せず）から放送された地上波放送信号は、アンテナ１０で受信される。この受信信号は主装置としてのヘッドエンド装置２０に送られてデジタル放送信号のデコード処理を受けた後、例えば上り車線、下り車線に設置される複数系統の送信アンテナ１７１〜１７４からトンネル内に放射される。送信アンテナ系統の端部には終端抵抗１８２が接続され、トンネル外部に送信波が漏れないようになっている。
【０００８】
ヘッドエンド装置２０は、スピーカ３０およびマイクボックス２０に接続される。スピーカ３０は、地上波デジタル放送信号から再生された音声を拡声出力するために用いられる。ヘッドエンド装置２０は、例えば災害時の緊急放送を受信した場合にはデジタル放送信号から緊急放送の音声を再生する。この緊急放送は拡声アンプ４０で増幅され、スピーカ３０から拡声出力される。その出力は数１０〜数１００ワットクラスに及び、これによりトンネル内の広い範囲に緊急情報を放送することができる。
【０００９】
マイクボックス２０は、スピーカ３０から出力された音声が届く位置に設置される。多くのケースでは、マイクボックス２０はトンネル内の緊急避難帯に設けられており、スピーカ３０はその近くのトンネルの天井に取り付けられる。マイクボックス５０はハンディーマイク６０を備える。ヘッドエンド装置２０はハンディーマイク６０で捕捉された音声を拡声アンプ４０で増幅し、スピーカ３０から放送する。
【００１０】
図２は、図１に示されるヘッドエンド装置２０、スピーカ３０およびマイクボックス４０を模式的に示す図である。ヘッドエンド装置２０は例えば複数のラックを備える。各ラックは例えば放送被制御装置、および拡声放送装置としての機能を備える。特に放送被制御装置はネットワークにオンラインで接続され、交通管制システムのコンソールから遠隔制御されることが可能である。
【００１１】
ヘッドエンド装置２０はスピーカケーブルを介してスピーカ３０に接続される。またヘッドエンド装置２０は、バランスケーブルなどを介してマイクボックス５０に接続される。実施形態において、マイクボックス５０はハンディーマイク６０に加えて内蔵マイク７０を備える。
【００１２】
図３は、図１に示されるヘッドエンド装置２０の一つの実施形態を示す機能ブロック図である。ヘッドエンド装置２０において、ハンディーマイク６０および内蔵マイク７０で個別に捕捉された可聴信号は、除去部８０に入力される。除去部８０は、ハンディーマイク６０で捕捉された可聴信号と、内蔵マイク７０で捕捉された可聴信号とから、同相成分を除去する。同相成分を除去された可聴信号は拡声アンプ４０で増幅され、スピーカ３０から拡声出力される。
【００１３】
以上説明したようにこの実施形態では、ラジオ再放送システムのマイクボックス５０に、ハンディーマイク６０に加えて内蔵マイク７０を設ける。そして、ハンディーマイク６０および内蔵マイク７０により個別に拾った音声について、同じ位相成分を除去するようにした。これにより異なる位相成分のみが拡声出力されることになる。
【００１４】
ハウリングは、拡声出力された音声のうち特定の周波数帯域の成分が再度マイクで拾われ、無限連鎖的に増幅されることで生じる。実施形態によれば同相成分を除去するようにしているので特定の周波数帯域がループすることを防止できるので、従ってハウリングを防止することが可能になる。
【００１５】
実施形態においてはハンディーマイク６０、内蔵マイク７０およびスピーカ３０の互いの位置関係が大きな意味を持つ。すなわちスピーカ３０からみてハンディーマイク６０および内蔵マイク７０はほぼ等距離にあるので、スピーカ３０からの音声出力はほぼ同相でハンディーマイク６０および内蔵マイク７０に入力される。これに対し、ハンディーマイク６０の話者から見て、ハンディーマイク６０はすぐ口元にあるが、内蔵マイク７０はそれとは離れた場所にある。よって話者からの音声は、ハンディーマイク６０と内蔵マイク７０とに異なる位相で捕捉される。これにより同相成分をキャンセルしつつも、異なる位相成分を音声として拡声することが可能になる。これらのことから、ハウリングを防止した再放送システムとその主装置および拡声方法を提供することが可能となる。
【００１６】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００１７】
１０…アンテナ、２０…ヘッドエンド装置、１７１〜１７４…送信アンテナ、１８２…終端抵抗、４０…拡声アンプ、３０…スピーカ、５０…マイクボックス、６０…ハンディーマイク、７０…内蔵マイク、８０…除去部
【図１】
2013168773.tif 000003
【図２】
2013168773.tif 000004
【図３】
2013168773.tif 000005